(57)【要約】【課題】パネル体を傷付けることなくカバー部材を取外すことができる間仕切パネル装置を提供する。【解決手段】天井Ｒと、床面Ｆと、左右に離間する支柱４１，４２と、にそれぞれ設けられたパネル支持体２，３，４３，４３の内側にパネル体を取付けしてなり、少なくともいずれかのパネル支持体に取付けられるカバー部材を備えた間仕切パネル装置１であって、カバー部材は、パネル体４を被覆する被覆部を有する板材１０３と、被覆部より外側に突設形成されてなる係合片１０４と、を備え、パネル支持体は、パネル体４の外側に配置される第１並行板４３０ｃと、第１並行板４３０ｃの外側に第１並行板に並行して配置された第２並行板４３０ｄと、を備え、係合片１０４は、第１並行板４３０ｃに形成された係止部１００ｂに先端部が係止されるとともに、第１並行板４３０ｃと第２並行板４３０ｄとの間で挟持される。【選択図】図７
2018066267.tif 000002
【特許請求の範囲】
【請求項１】
天井と、床面と、左右に離間する支柱と、にそれぞれ設けられたパネル支持体の内側にパネル体を取付けしてなり、少なくともいずれかの前記パネル支持体に取付けられるカバー部材を備えた間仕切パネル装置であって、
前記カバー部材は、前記パネル体を被覆する被覆部を有する板材と、前記被覆部より外側に突設形成されてなる係合片と、を備え、
前記パネル支持体は、前記パネル体の外側に配置される第１並行板と、前記第１並行板の外側に該第１並行板に並行して配置された第２並行板と、を備え、
前記係合片は、前記第１並行板に形成された係止部に先端部が係止されるとともに、前記第１並行板と前記第２並行板との間で挟持されることを特徴とする間仕切パネル装置。
【請求項２】
前記係止部は、前記第１並行板の前記第２並行板との対向面から突出して形成されていることを特徴とする請求項１に記載の間仕切パネル装置。
【請求項３】
前記カバー部材は、前記係合片と当接片とを備え、前記当接片は前記第１並行板に圧着され、前記係合片は前記当接片より長寸であることを特徴とする請求項１または２に記載の間仕切パネル装置。
【請求項４】
前記係合片は、前記第２並行板に沿って当接する基部と、該基部から斜めに延び、先端に前記係止部に係止される係止爪を有する傾斜部とを備えてなることを特徴とする請求項１ないし３のいずれかに記載の間仕切パネル装置。
【請求項５】
前記カバー部材は、前記板材の被覆部の端部に前記パネル体の外面に向けて延びる突出部を備えることを特徴とする請求項１ないし４のいずれかに記載の間仕切パネル装置。
【発明の詳細な説明】
【技術分野】
【０００１】
本発明は、天井と床面とに設けられたパネル支持体間に、パネルを取付けしてなる間仕切パネル装置に関する。
【背景技術】
【０００２】
建物内の部屋や空間を複数の区画に仕切って分割するために、天井から床面に亘って複数のパネルを取付けしてなる間仕切パネル装置が使用されている。このような間仕切パネル装置は、例えば、特許文献１に開示されているように、天井面と床面にそれぞれ固定されたレール部材（上部パネル支持体及び下部パネル支持体）間に複数の支柱を立設し、隣接する支柱間に横桟を取付けて両支柱の間隔を一定に設定し、両支柱の表裏両面（前後両側）にパネル（パネル体）を取付け、該パネルの端縁部を隠すようにカバー部材が取付けられて構成されている。詳細には、天井面と床面にそれぞれ固定されたレール部材の少なくとも表面側に沿って前方に向けて開口する嵌合溝が形成されるとともに、該嵌合溝の上下の側面部に嵌合溝に沿ってそれぞれ下方に延出する第１係合突条と、上方に延出する第２係合突条が形成されている。また、化粧板（板材）を有する長尺のカバー部材に、嵌合溝に嵌合し、且つ嵌合溝の上下の側面部に形成された各係合突条にそれぞれ抜け止め係止される上方に延出する爪部を有する第１係合爪と、下方に延出する爪部を有する第２係合爪が化粧板の裏面から遠ざかる方向に突設されている。この第１係合爪の爪部は、第１係合突条に対して係止され、第２係合爪の爪部は、第２係合突条に対して係止されることにより、レール部材にカバー部材を嵌着させて化粧板でパネルの端縁部を隠すことができるようになっている。
【先行技術文献】
【特許文献】
【０００３】
【特許文献１】特開２００１−１１９８４号公報（第３頁、第１図）
【発明の概要】
【発明が解決しようとする課題】
【０００４】
しかしながら、特許文献１にあっては、レール部材にカバー部材を嵌着させて化粧板でパネルの端縁部が被覆された状態からパネルの取換え等を行う際には、化粧板の裏面側に突設された第１係合爪及び第２係合爪が嵌合溝の上下の側面部に形成された第１係合突条及び第２係合突条にそれぞれ抜け止め係止されているため、カバー部材を化粧板側から取外すことができず、化粧板とパネルとの隙間からドライバー等の工具を挿入して化粧板の形状を強制的に変形させる、あるいは化粧板を破損させてから第２係合爪を変形させて第２係合突条との係止を直接解除する必要があり、カバー部材の取外し作業によってパネルを傷付けてしまう虞があった。
【０００５】
本発明は、このような問題点に着目してなされたもので、パネル体を傷付けることなくカバー部材を取外すことができる間仕切パネル装置を提供することを目的とする。
【課題を解決するための手段】
【０００６】
前記課題を解決するために、本発明の間仕切パネル装置は、
天井と、床面と、左右に離間する支柱と、にそれぞれ設けられたパネル支持体の内側にパネル体を取付けしてなり、少なくともいずれかの前記パネル支持体に取付けられるカバー部材を備えた間仕切パネル装置であって、
前記カバー部材は、前記パネル体を被覆する被覆部を有する板材と、前記被覆部より外側に突設形成されてなる係合片と、を備え、
前記パネル支持体は、前記パネル体の外側に配置される第１並行板と、前記第１並行板の外側に該第１並行板に並行して配置された第２並行板と、を備え、
前記係合片は、前記第１並行板に形成された係止部に先端部が係止されるとともに、前記第１並行板と前記第２並行板との間で挟持されることを特徴としている。
この特徴によれば、係合片が第１並行板と第２並行板との間で挟持されているため、取付けられたパネル体が外れる方向に動いた場合には、係止部から係合片の先端が外れ難くなり、カバー部材が取付けられた状態を保持できるとともに、カバー部材を取外す場合には、パネル体の下端部に当接する板材の上端部を支点として係合片の先端が回動するため、係合片の先端が内側に位置する第１並行板から離れる方向に力が作用するので、係止部から係合片の先端が外れやすく、パネル体を傷付けることなくカバー部材を容易に取外すことができる。
【０００７】
前記係止部は、前記第１並行板の前記第２並行板との対向面から突出して形成されていることを特徴としている。
この特徴によれば、係止部から係合片の先端が外れやすく、パネル体を傷付けることなくカバー部材を容易に取外すことができる。
【０００８】
前記カバー部材は、前記係合片と当接片とを備え、前記当接片は前記第１並行板に圧着され、前記係合片は前記当接片より長寸であることを特徴としている。
この特徴によれば、当接片が第１並行板に圧着されるため、係合片が動き難くなり、係止部から係合片の先端を外れ難くすることができる。
【０００９】
前記係合片は、前記第２並行板に沿って当接する基部と、該基部から斜めに延び、先端に前記係止部に係止される係止爪を有する傾斜部とを備えてなることを特徴としている。
この特徴によれば、係止部から係合片の先端が外れやすく、パネル体を傷付けることなくカバー部材を容易に取外すことができる。
前記カバー部材は、前記板材の被覆部の端部に前記パネル体の外面に向けて延びる突出部を備えることを特徴としている。
この特徴によれば、突出部がパネル体の外縁に接触することで、パネル体の移動を抑制できる。
【図面の簡単な説明】
【００１０】
【図１】実施例１における間仕切パネル装置を示す正面図である。
【図２】実施例１における間仕切パネル装置を示す分解斜視図である。
【図３】実施例１における両面にガラスパネルが取付けられた間仕切パネル装置を示す横断面図である。
【図４】実施例１における間仕切パネル装置の上部パネル支持体におけるガラスパネルの取付け構造を示す横断面図である。
【図５】実施例１における間仕切パネル装置の下部パネル支持体におけるガラスパネルの取付け構造を示す横断面図である。
【図６】（ａ）ないし（ｄ）は、実施例１における間仕切パネル装置のガラスパネルの取付け手順を示す横断面図である。
【図７】実施例１における間仕切パネル装置の端部におけるガラスパネルの取付け構造を示す縦断面図である。
【図８】（ａ），（ｂ）は、実施例１におけるカバー部材の変形例を示す横断面図である。
【図９】実施例２における片面にガラスパネルが取付けられた間仕切パネル装置を示す横断面図である。
【図１０】実施例２における間仕切パネル装置の端部におけるガラスパネルの取付け構造を示す縦断面図である。
【発明を実施するための形態】
【００１１】
本発明に係る間仕切パネル装置を実施するための形態を実施例に基づいて以下に説明する。
【実施例１】
【００１２】
実施例１に係る間仕切パネル装置につき、図１から図８を参照して説明する。以下、図３の画面左側を間仕切パネル装置の正面側（前方側）とし、図３の画面右側を間仕切パネル装置の背面側（後方側）として説明する。また、図７の画面上側を間仕切パネル装置の正面側（前方側）とし、図７の画面下側を間仕切パネル装置の背面側（後方側）として説明する。
【００１３】
間仕切パネル装置１は、例えば、学校やオフィス等の建物内の部屋や空間を複数の区画に仕切って分割するために、天井から床面に亘って複数のパネルを取付けてなるものであり、区画空間の開放感を演出するために透明のガラスパネル４（パネル体）が使用され、強度や遮音性に優れる。
【００１４】
図１及び図２に示されるように、実施例１における間仕切パネル装置１は、天井Ｒに固定される上部パネル支持体２と、床面Ｆに固定される下部パネル支持体３と、の間に複数のガラスパネル４，４，…が前後に離間させて取付けられた二重ガラスパネル構造になっている。尚、前後に離間させて取付けられるガラスパネル４，４は、同一構成であるため、間仕切パネル装置１の前方側に取付けられるガラスパネル４について説明し、後方側に取付けられるガラスパネル４についての説明を省略する。
【００１５】
左右に隣接するガラスパネル４，４，…の対向端部同士は、透明度の高い樹脂製のジョイント材（図示省略）が充填されることにより上下方向の枠を使用しなくとも左右方向の連結が可能になっている。
【００１６】
図２及び図３に示されるように、各ガラスパネル４は、２枚の透明な板ガラス４ａ，４ａを重合して強化した合わせガラスとしたパネル本体４ｂと、該パネル本体４ｂの上端面４ｃ及び下端面４ｅに両面接着テープあるいはホットメルト接着剤５によりそれぞれ固定された上部縁材６及び下部縁材７と、から構成されている。尚、現場での取付けや施工時間を短縮するために、予め工場等においてパネル本体４ｂに上部縁材６及び下部縁材７を取付け、ガラスパネル４をユニット化しておくとよい。尚、パネル本体４ｂとしては、透明なアクリル製の板材が使用されてもよい。
【００１７】
次いで、上部縁材６について詳しく説明する。図４に示されるように、ガラスパネル４における上部縁材６は、パネル本体４ｂの上端面４ｃに両面接着テープあるいはホットメルト接着剤５により固定される側面視倒立Ｌ字状の基部材６０と、上方に向けて延びる挿入片６１ｂを有する側面視Ｌ字状の挿入部材６１と、から構成されている。尚、上部縁材６を構成する基部材６０及び挿入部材６１は、アルミ合金製の押出成形品である。
【００１８】
基部材６０は、パネル本体４ｂの上端面４ｃに両面接着テープあるいはホットメルト接着剤５により固定される水平板６０ａと、水平板６０ａの前端からパネル本体４ｂに沿って下方に向けて所定距離延びる垂下板６０ｂと、を有する。
【００１９】
水平板６０ａには、上面側に開口し、下方に向かい漸次拡張する挿入部６０ｃが長手方向に連続して形成されており、ボルト８が水平板６０ａの挿入部６０ｃに対して側面側からボルト８の頭部（図示省略）を下にした状態で挿入され、所定位置までスライド移動可能になっている。尚、挿入部６０ｃに挿入されたボルト８は、水平板６０ａの上面側の開口からボルト８の胴部が突出した状態で保持されるようになっている。
【００２０】
垂下板６０ｂは、パネル本体４ｂの前面側に沿って当接することにより、ガラスパネル４が取付けられた状態において、パネル本体４ｂに対して後方側から水平方向に応力が働いた場合にパネル本体４ｂが抜け出ないように支持できるようになっている。また、垂下板６０ｂがパネル本体４ｂの前面側に沿って当接するため、パネル本体４ｂの上端面４ｃに対して基部材６０を固定する際に、前後方向の位置合わせが行いやすくなっている。
【００２１】
また、基部材６０の長手方向及び前後方向の寸法をパネル本体４ｂの上端面４ｃの長手方向及び前後方向の寸法とそれぞれ略同寸にすることにより、基部材６０の水平板６０ａとパネル本体４ｂの上端面４ｃの間の接着面積が大きくなり、両面接着テープあるいはホットメルト接着剤５による接着力が高められている。
【００２２】
挿入部材６１は、基部材６０の水平板６０ａに直接固定される基部６１ａと、基部６１ａの後端から上方に向けて延びる挿入片６１ｂと、を有する。
【００２３】
基部６１ａには、上下方向に貫通する貫通孔６１ｄ，６１ｄが形成されており、前述した基部材６０の上面側の開口から突出したボルト８の胴部がそれぞれ挿入可能になっている。尚、基部６１ａの貫通孔６１ｄに下方から挿入されたボルト８の胴部は、貫通孔６１ｄを介してさらに基部６１ａの上面側に突出した状態になっている。
【００２４】
挿入片６１ｂは、基部６１ａの後端から上方に向けて延び、後方側の垂直面６１ｃがパネル本体４ｂの後面４ｄ及び水平板６０ａの後面と面一になるように設けられている。挿入片６１ｂの前後方向の寸法は、後述する上部挿入溝２２ｄの前後方向の寸法よりも小さくなっており、ガラスパネル４を斜めに傾斜させたまま挿入片６１ｂを上部挿入溝２２ｄ内に挿入できるとともに、挿入片６１ｂが上部挿入溝２２ｄ内に挿入された状態のまま、ガラスパネル４を回動させて垂直に立ち上げることができる。尚、挿入片６１ｂのたわみによりガラスパネル４を回動させてもよく、上部挿入溝２２ｄと挿入片６１ｂとの前後方向の隙間は必須ではない。また、挿入片６１ｂの上下方向の寸法は、上部挿入溝２２ｄの上下方向の寸法よりも小さくなっており、挿入片６１ｂが上部挿入溝２２ｄ内に挿入された状態のまま、ガラスパネル４を上方向に動かすことができるようになっている。
【００２５】
基部材６０と挿入部材６１の連結方法については、まず、ボルト８の頭部を下にした状態で基部材６０の水平板６０ａの挿入部６０ｃに対して側面側から挿入し、水平板６０ａの上面側にボルト８の胴部が突出した状態にする。次に、挿入部材６１の基部６１ａに設けられた貫通孔６１ｄに対して水平板６０ａの上面側に突出したボルト８の胴部を挿入し、基部６１ａの上面側にボルト８の胴部が突出した状態にする。最後に、挿入部材６１の基部６１ａの上面側に突出しているボルト８の胴部にナット９を螺合させることにより、基部材６０及び挿入部材６１を強固に締結できるようになっている。
【００２６】
また、挿入部材６１の長手方向の寸法をパネル本体４ｂの上端面４ｃの長手方向の寸法よりも短寸のものとし、少なくとも１つ（本実施例においては２つ）所定位置に設けることにより、挿入部材６１の挿入片６１ｂの側面を下方から視認でき、挿入片６１ｂを上部挿入溝２２ｄに挿入させるための位置合わせと挿入作業が容易に行えるようになっている。
【００２７】
また、基部材６０の長手方向の寸法は、パネル本体４ｂの上端面４ｃの長手方向の寸法と略同寸であり、挿入部材６１の長手方向の寸法は、パネル本体４ｂの上端面４ｃの長手方向の寸法よりも短寸であることから、ガラスパネル４が取付けられた状態では、短寸の挿入部材６１に対して応力が集中するため、基部材６０と挿入部材６１をボルト８とナット９により機械的に締結させることにより連結強度が高められている。さらに、ボルト８とナット９により直接締結される基部材６０の水平板６０ａと挿入部材６１の基部６１ａの前後方向の寸法をそれぞれパネル本体４ｂの上端面４ｃの前後方向の寸法と略同寸とすることにより、水平板６０ａと基部６１ａの接触面積を大きくし、基部材６０と挿入部材６１の連結強度が高められている。
【００２８】
次いで、下部縁材７について詳しく説明する。図５に示されるように、ガラスパネル４における下部縁材７は、パネル本体４ｂの下端面４ｅに両面接着テープあるいはホットメルト接着剤５により固定される水平板７ａと、水平板７ａの前端からパネル本体４ｂの前面に沿って上方に向けて延びる支持片７ｂと、水平板７ａの前端から下方に向けて突設される当接片７ｃと、水平板７ａの後端から下方に向けて突設される係合片７ｅと、から構成されている。尚、下部縁材７は、アルミ合金製の押出成形品である。
【００２９】
支持片７ｂは、水平板７ａの前端からパネル本体４ｂの前面に沿って上方に向けて所定距離延び、ガラスパネル４が取付けられた状態において、パネル本体４ｂに対して後方側から水平方向に応力が働いた場合にパネル本体４ｂが抜け出ないように支持できるようになっている。
【００３０】
当接片７ｃは、下部縁材７の水平板７ａの前端から下方に向けて突設され、下方に向けて後述する巾木３０側（後方側）に漸次拡張した形状をなし、当接片７ｃの下端に形成される当接面７ｄが後述する下部支持部材３２（下部パネル支持体）の当接面３２０ｆに上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００３１】
係合片７ｅは、下部縁材７の水平板７ａの後端から下方に向けて突設され、下方に向けて巾木３０側に漸次減縮した形状をなし、後述する下部支持部材３２の被係合部３２０ｅに係合可能になっている。言い換えれば、係合片７ｅの前方側には、下方に向けて前方側から後方側へ傾斜する傾斜面７０ｂが形成されている。また、係合片７ｅの後方側には、パネル本体４ｂの後面４ｄと面一となる垂直面７０ａが形成されている。
【００３２】
また、下部縁材７の水平板７ａの長手方向及び前後方向の寸法をパネル本体４ｂの下端面４ｅの長手方向及び前後方向の寸法とそれぞれ略同寸にすることにより、下部縁材７の水平板７ａとパネル本体４ｂの下端面４ｅの間の接着面積が大きくなり、両面接着テープあるいはホットメルト接着剤５による接着力を高められるようになっている。
【００３３】
次いで、上部パネル支持体２について詳しく説明する。図３及び図４に示されるように、天井Ｒには、側面視下向きコ字状をなす笠木２０が複数のボルト（図示省略）により固定されている。笠木２０の内側下面２０ａには、複数の吊支金具２１，２１，…（図３では、１つの吊支金具２１のみを示している）がボルトによって笠木２０と共締めされて固定されている。各吊支金具２１の下面板２１ａには、高さ調整用のアジャスタボルト２１ｂが螺合されている。笠木２０の下方から外嵌される上部支持部材２２（上部パネル支持体）は、複数のアジャスタボルト２１ｂ，２１ｂ，…（図３では、１本のアジャスタボルト２１ｂのみを示している）の下端に設けられる受支板２１ｃ，２１ｃ，…（図３では、１枚の受支板２１ｃのみを示している）により、高さ調整可能に吊支されている。尚、本実施例における上部パネル支持体２は、笠木２０と上部支持部材２２を合わせたものとなっている。さらに尚、上部パネル支持体２を構成する笠木２０と上部支持部材２２は、アルミ合金製の押出成形品である。
【００３４】
上部支持部材２２は、笠木２０に下方から外嵌される嵌合部２２ａと、笠木２０の下方に形成され各アジャスタボルト２１ｂの下端に設けられる受支板２１ｃにより支持される下方支持板２２ｂと、笠木２０の前後の側板２０ｂの外面側にそれぞれ形成される前方支持部２２ｃ及び後方支持部２２ｃ’と、から構成されている。尚、前方支持部２２ｃ及び後方支持部２２ｃ’の構造は、同一構成であるため、前方支持部２２ｃの構造について説明し、後方支持部２２ｃ’の構造についての説明を省略する。
【００３５】
嵌合部２２ａは、笠木２０の下方に形成される下方支持板２２ｂと、下方支持板２２ｂの前後端から笠木２０の前後の側板２０ｂ，２０ｂ’の外面に沿ってそれぞれ上方に向けて延びる起立板２２０ａ，２２０ａ’と、から構成される側面視上向きコ字状構造の上向き開放部分のことであり、笠木２０を下方から覆うように外嵌される。
【００３６】
下方支持板２２ｂは、笠木２０の下方に亘って形成され、前後中央に上方に凹んだ凹部２２０ｂを備え、該凹部２２０ｂに対して後述する上面カバー部材１０ａが係止されることにより、上部パネル支持体２の内部構造を隠せるようになっている。
【００３７】
前方支持部２２ｃは、下方支持板２２ｂの前端から笠木２０の前方側の側板２０ｂの外面に沿って上方に向けて延びる起立板２２０ａと、起立板２２０ａの上端から前方に向けて延びる上板２２０ｃと、上板２２０ｃの前端から下方に向けて延び起立板２２０ａと対向する対向板２２０ｄと、から主に構成され、起立板２２０ａと上板２２０ｃと対向板２２０ｄの３つの板から側面視下向き略コ字状の上部挿入溝２２ｄが形成されている。
【００３８】
上部挿入溝２２ｄは、上部縁材６の挿入片６１ｂが挿入可能となっており、上部挿入溝２２ｄの前後方向の寸法は、挿入片６１ｂの前後方向の寸法よりも大きくなっているとともに、上部挿入溝２２ｄの上下方向の寸法は、挿入片６１ｂの上下方向の寸法よりも大きくなっている。
【００３９】
また、対向板２２０ｄの下端は、起立板２２０ａの下端よりも上方に形成されている。言い換えれば、上部挿入溝２２ｄの開口部２２１は、起立板２２０ａの下端よりも上方に形成されている。
【００４０】
また、対向板２２０ｄには、前方側に向けて並行して延出する上方水平板２２０ｅと下方水平板２２０ｆが形成されている。下方水平板２２０ｆの上面側には、係止部１００ａが形成され、上方水平板２２０ｅと下方水平板２２０ｆの間に後述する前面カバー部材１０ｂ（カバー部材）の係止片１０４（係合片，下部係合片）が係止されることにより前面カバー部材１０ｂが取付けられ、上部パネル支持体２に対するガラスパネル４の取付け構造を隠せるようになっている。
【００４１】
次いで、下部パネル支持体３について詳しく説明する。図３及び図５に示されるように、床面Ｆには、側面視上向きコ字状をなす巾木３０が複数のアンカーボルト（図示省略）により固定されている。巾木３０の内側上面３０ａには、複数の支持金具３１，３１，…（図３では、１つの支持金具３１のみを示している）がアンカーボルトによって巾木３０と共締めされて固定されている。各支持金具３１の上面板３１ａには、高さ調整用のアジャスタボルト３１ｂが螺合されている。巾木３０の上方から外嵌される下部支持部材３２は、複数のアジャスタボルト３１ｂ，３１ｂ，…（図３では、１本のアジャスタボルト３１ｂのみを示している）の上端に設けられる受け板３１ｃ，３１ｃ，…（図３では、１枚の受け板３１ｃのみを示している）により、高さ調整可能に支持されている。尚、本実施例における下部パネル支持体３は、巾木３０と下部支持部材３２を合わせたものとなっている。さらに尚、下部パネル支持体３を構成する巾木３０と下部支持部材３２は、アルミ合金製の押出成形品である。
【００４２】
下部支持部材３２は、巾木３０を上方から覆うように外嵌される嵌合部３２ａと、巾木３０上方に形成され各アジャスタボルト３１ｂの上端に設けられる受け板３１ｃにより支持される上方支持板３２ｂと、巾木３０の前後の側板３０ｂ，３０ｂ’の外面側にそれぞれ配置される前方支持部３２ｃ及び後方支持部３２ｃ’と、から構成されている。尚、前方支持部３２ｃ及び後方支持部３２ｃ’の構造は、同一構成であるため、前方支持部３２ｃの構造について説明し、後方支持部３２ｃ’の構造についての説明を省略する。
【００４３】
嵌合部３２ａは、巾木３０の上方に形成される上方支持板３２ｂと、上方支持板３２ｂの前後端から巾木３０の前後の側板３０ｂ，３０ｂ’の外面に沿ってそれぞれ下方に向けて延びる起立板３２０ａ，３２０ａ’と、から構成される側面視下向きコ字状構造の下向き開放部分のことであり、巾木３０を上方から覆うように外嵌される。
【００４４】
上方支持板３２ｂは、巾木３０の上方に亘って形成され、前後中央に下方に凹んだ凹部３２０ｂを備え、該凹部３２０ｂに対して後述する下面カバー部材１０ｃが係止されることにより、下部パネル支持体３の内部構造を隠せるようになっている。
【００４５】
前方支持部３２ｃは、上方支持板３２ｂの前端から巾木３０の前方側の側板３０ｂの外面に沿って下方に向けて延びる起立板３２０ａと、起立板３２０ａの下端から前方に向けて延びる水平板３２０ｃと、から主に構成され、水平板３２０ｃの上面側には、前述した下部縁材７の係合片７ｅと係合する被係合部３２０ｅと、当接片７ｃと当接する当接面３２０ｆが形成される。
【００４６】
被係合部３２０ｅは、起立板３２０ａの前面側に相当する垂直面３２１と、起立板３２０ａの下端から前方側に向けて斜め上方向に傾斜する傾斜面３２２と、から構成されている。言い換えれば、被係合部３２０ｅは、前方側から下方に向けて巾木３０側（後方側）に漸次減縮した形状をなし、前述したガラスパネル４の係合片７ｅと係合可能になっている。また、被係合部３２０ｅに係合片７ｅが係合されると、被係合部３２０ｅの傾斜面３２２は、係合片７ｅの傾斜面７０ｂと当接し、被係合部３２０ｅの垂直面３２１は、係合片７ｅの垂直面７０ａと当接した状態となっているため、ガラスパネル４が浮き上がる等して前方側に移動した場合であっても、被係合部３２０ｅの傾斜面３２２の傾斜に沿って係合片７ｅが滑り、被係合部３２０ｅの垂直面３２１と係合片７ｅの垂直面７０ａとが当接した状態に戻るように案内される。
【００４７】
当接面３２０ｆは、被係合部３２０ｅの前方側に形成され、前述したガラスパネル４の当接片７ｃが上方から当接することにより、ガラスパネル４から下方向にかかる荷重と、ガラスパネル４が前方側に倒れる方向にかかる荷重を支持できるようになっており、ガラスパネル４の取付け状態における安定性を高めている。
【００４８】
また、被係合部３２０ｅ及び当接面３２０ｆの下方には、下方に向けて延びる垂下板３２０ｄが形成され、垂下板３２０ｄには、前方側に向けて並行して延出する上方水平板３２０ｇ（上部壁）と下方水平板３２０ｈ（下部壁）が突設され、上方水平板３２０ｇと下方水平板３２０ｈにより後述する前面カバー部材１０ｂが取付けられる係合部１００が形成されている。上方水平板３２０ｇの下面側には、係止部１００ｂが形成され、係止部１００ｂに前面カバー部材１０ｂの係止片１０４（係合片，下部係合片）の先端に形成される係止爪１０４ａが係止されることにより前面カバー部材１０ｂが取付けられ、下部パネル支持体３とガラスパネル４の取付け構造を隠せるようになっている。
【００４９】
さらに、下方水平板３２０ｈの後端から後方側に向けて延び巾木３０の側板３０ｂに当接する上方支持板３２０ｉと、下方水平板３２０ｈの前端から後下方に向けて傾斜しながら延び巾木３０の側板３０ｂに当接する下方支持板３２０ｊが形成されており、それぞれが巾木３０の側板３０ｂに当接することにより、下部パネル支持体３の強度を高めている。
【００５０】
次いで、上部パネル支持体２及び下部パネル支持体３に対するガラスパネル４の取付け方法について説明する。図６（ａ）に示されるように、まず、ガラスパネル４の上方を上部パネル支持体２側に傾斜させた状態で持ち、ガラスパネル４の上端に固定された上部縁材６の挿入片６１ｂを上部パネル支持体２の前方支持部２２ｃに設けられた上部挿入溝２２ｄに挿入する。このとき、ガラスパネル４に設けられた挿入片６１ｂの後方側の垂直面６１ｃ及びパネル本体４ｂの後面４ｄを前方支持部２２ｃの起立板２２０ａに当接させて上方に向けて滑らせることにより、上方に位置する上部挿入溝２２ｄへ挿入片６１ｂを案内させることができるので、上部挿入溝２２ｄに対する挿入片６１ｂの挿入を安全に且つ確実に行うことができる。
【００５１】
次に、図６（ｂ）に示されるように、上部挿入溝２２ｄに挿入片６１ｂが挿入された状態で当該箇所を中心としてガラスパネル４の下端を下部パネル支持体３に近接させるように回動させ、ガラスパネル４の下端を略水平に移動させる。このとき、ガラスパネル４を持ち上げ、上部挿入溝２２ｄに挿入片６１ｂの略全体が挿入されている状態でガラスパネル４を回動させることにより、パネル本体４ｂの下端に固定された下部縁材７が下部パネル支持体３の前方側に突出している被係合部３２０ｅ及び当接面３２０ｆに接触することなく、ガラスパネル４の下端を下部パネル支持体３に近接させることができ、ガラスパネル４の回動を安全かつ確実に行うことができる。
【００５２】
最後に、図６（ｃ）に示されるように、パネル本体４ｂの後面４ｄを上部パネル支持体２の前方支持部２２ｃに設けられた起立板２２０ａ及び下部パネル支持体３の前方支持部３２ｃに設けられた起立板３２０ａに当接させた状態で真下に落とし込むことにより、図６（ｄ）に示されるように、ガラスパネル４の下端に設けられた係合片７ｅを前方支持部３２ｃの被係合部３２０ｅに係合させることができる。また、同時に、ガラスパネル４の下端に設けられた当接片７ｃを下部パネル支持体３の前方支持部３２ｃに設けられた当接面３２０ｆに上方から当接させることができる。このとき、被係合部３２０ｅを構成する垂直面７０ａの下端から上部挿入溝２２ｄの開口部２２１までの上下寸法Ｌ２よりもガラスパネル４の上下寸法Ｌ１（上部縁材６の挿入片６１ｂの上端から下部縁材７の係合片７ｅの下端までの上下寸法）が大きくなっており、上部挿入溝２２ｄに挿入片６１ｂが挿入された状態が保持されている（図３参照）。
【００５３】
これにより、上部パネル支持体２及び下部パネル支持体３に対するガラスパネル４の取付けが完了し、下部パネル支持体３の前方支持部３２ｃに設けられた被係合部３２０ｅにガラスパネル４の下端に設けられた係合片７ｅが係合された状態で、同時に上部パネル支持体２の前方支持部２２ｃに設けられた上部挿入溝２２ｄに挿入片６１ｂが挿入された状態とすることができ、且つパネル本体４ｂの後面４ｄと、挿入片６１ｂの垂直面６１ｃと、係合片７ｅの垂直面７０ａと、を上部支持部材２２の起立板２２０ａ及び下部支持部材３２の起立板３２０ａに当接させた状態とすることができるので、ガラスパネル４を上部パネル支持体２及び下部パネル支持体３に対して安定して保持させることができる。
【００５４】
また、図７に示されるように、間仕切パネル装置１の端部に設けられる側部パネル支持体４０に対して、上下方向に亘って前後面に取付けられる前面カバー部材１０ｂ，１０ｂは、上部パネル支持体２及び下部パネル支持体３に取付けられる前面カバー部材１０ｂ，１０ｂと同一構成であり、前後のガラスパネル４，４の間に上下方向に亘って取付けられる側面カバー部材１０ｄは、上部パネル支持体２及び下部パネル支持体３に取付けられる上面カバー部材１０ａ及び下面カバー部材１０ｃと同一構成となっている。
【００５５】
側部パネル支持体４０は、上下方向に向けて延び、笠木２０から巾木３０に亘って立設される断面視コ字状の支柱４１，４２と、ガラスパネル４，４が前後から当接される側部支持部材４３と、から主に構成されている。尚、支柱４１は、支柱４２に比べて縦断面の寸法が小さくなっており、支柱４１及び支柱４２の開口側を対向させた状態で支柱４２の開口に支柱４１が嵌挿されることにより、合わせて縦断面矩形の形状となり強度が高められている。
【００５６】
間仕切パネル装置１の端部側に立設される支柱４２には、コーナーカバー部材１０ｅが外嵌され、ビス（図示省略）等により固定されている。間仕切パネル装置１の内部側に立設される支柱４１と、支柱４１に外嵌される支柱４２には、側部支持部材４３が間仕切パネル装置１の内面側から外嵌され、ビス（図示省略）等により固定されている。尚、コーナーカバー部材１０ｅの表面を前面カバー部材１０ｂ，１０ｂの装飾板１０３（板材）と面一にすることにより、間仕切パネル装置１の端部の美観を向上させている。
【００５７】
側部支持部材４３は、支柱４１及び支柱４２に間仕切パネル装置１の内面側から外嵌される嵌合部４３ａと、支柱４１に間仕切パネル装置１の内面側から当接する当接片４３ｂ，４３ｂと、側面カバー部材１０ｄが取付けられる凹部４３０ａ及び係止部４３０ｂ，４３０ｂを形成する側方支持板４３ｃと、支柱４２の前後の側板４２ｂ，４２ｂ’の外面側にそれぞれ形成される前方支持部４３ｄ及び後方支持部４３ｄ’と、から構成されている。また、側方支持板４３ｃの前後には、前後から取付けられるガラスパネル４，４の側端に当接し、衝撃緩衝材及び目地材としての役割を果たすゴム製の弾性部材４４，４４が取付けられている。尚、前方支持部４３ｄ及び後方支持部４３ｄ’の構造は、同一構成であるため、前方支持部４３ｄの構造について説明し、後方支持部４３ｄ’の構造についての説明を省略する。
【００５８】
前方支持部４３ｄは、支柱４２の前方側の側板４２ｂの外面に沿って延び前方側に向けて並行して延出し、間仕切パネル装置１の内面側に形成される第１並行板４３０ｃと間仕切パネル装置１の端部側に形成される第２並行板４３０ｄを備え、第１並行板４３０ｃの第２並行板４３０ｄとの対向面側には、係止部１００ｂが形成され、第１並行板４３０ｃと第２並行板４３０ｄの間に前面カバー部材１０ｂの係止片１０４が係止されることにより前面カバー部材１０ｂが取付けられ、側部パネル支持体４０とガラスパネル４の取付け構造を隠せるようになっている。
【００５９】
ガラスパネル４を取付けた後、前述した上面カバー部材１０ａ、前面カバー部材１０ｂ、下面カバー部材１０ｃ、側面カバー部材１０ｄは、それぞれ上部パネル支持体２または下部パネル支持体３の所定位置に取付けられ、内部構造やガラスパネル４の取付け構造が外部に露出しないように隠し、美観を向上させている。また、上面カバー部材１０ａ、前面カバー部材１０ｂ、下面カバー部材１０ｃ、側面カバー部材１０ｄは、それぞれ上部パネル支持体２及び下部パネル支持体３に対して取付けられるガラスパネル４の支持剛性を高める役割も果たしている。尚、上面カバー部材１０ａと下面カバー部材１０ｃ、側面カバー部材１０ｄは、同一構成であるため、下面カバー部材１０ｃについて説明し、上面カバー部材１０ａ及び側面カバー部材１０ｄについての説明を省略する。さらに尚、間仕切パネル装置１の前後の上部パネル支持体２、下部パネル支持体３、側部パネル支持体４０に取付けられる前面カバー部材１０ｂ，１０ｂ，…は、同一構成であるため、前方側の下部パネル支持体３に取付けられる前面カバー部材１０ｂについて説明し、他の前面カバー部材１０ｂについての説明を省略する。
【００６０】
図３及び図５に示されるように、下面カバー部材１０ｃは、前後に取付けられるガラスパネル４，４の間で前後方向に延びる装飾板１０１と、下部支持部材３２を構成する上方支持板３２ｂに設けられた凹部３２０ｂの長手方向に沿って前後に形成される係止部１００ｃ，１００ｃ’に対して係止される係止片１０２，１０２’と、から主に構成されている。尚、上面カバー部材１０ａ及び下面カバー部材１０ｃは、アルミ合金製の押出成形品である。
【００６１】
係止片１０２，１０２’は、装飾板１０１の下面側から下方に向けてそれぞれ前後に離間するように傾斜して延びており、係止片１０２，１０２’がそれぞれ近接するように撓らせながら係止部１００ｃ，１００ｃ’と係止させることによって、係止片１０２，１０２’の反力により係止部１００ｃ，１００ｃ’に強固に係止され、上下方向への応力に対して下面カバー部材１０ｃが外れ難いようになっている。
【００６２】
装飾板１０１の前後端には、下方に向けて延び上方支持板３２ｂに当接する前方当接部１０１ａ及び後方当接部１０１ｂが形成されている。前方当接部１０１ａ及び後方当接部１０１ｂは、前後に取付けられるガラスパネル４，４に対してもパネル本体４ｂ，４ｂの後面４ｄ，４ｄにそれぞれ当接するようになっており、下部パネル支持体３とともにガラスパネル４に対する当接面積を増やし、ガラスパネル４の支持剛性を高めている。
【００６３】
図３及び図５に示されるように、前方側の下部パネル支持体３に取付けられる前面カバー部材１０ｂは、上下方向に延びる装飾板１０３（板材）と、装飾板１０３の下方から後方に並行して延び下部パネル支持体３に設けられた上方水平板３２０ｇと下方水平板３２０ｈにより上下に区画される係合部１００に係合される長片の係止片１０４（係合片，下部係合片）及び短片の当接片１０５（係合片，上部係合片）と、から主に構成されている。尚、前面カバー部材１０ｂは、アルミ合金製の押出成形品である。
【００６４】
係止片１０４は、基部の一部が下方水平板３２０ｈに対して上方から当接するとともに、後方側に斜め上方向に傾斜して延びる先端に鉤状に形成された係止爪１０４ａが上方水平板３２０ｇの下面側に下方に向けて延びるように形成された係止部１００ｂに対して係止されるようになっている。また、係止片１０４よりも上方に設けられた当接片１０５は、上方水平板３２０ｇに対して下方から圧着されるようになっており、これにより生じる反力により対向する係止片１０４を下方水平板３２０ｈに対して上方から押付けることができ、前面カバー部材１０ｂを下部パネル支持体３に対して安定して取付けることができるようになっている。
【００６５】
また、装飾板１０３の上端には、後方に向けて延びてガラスパネル４に当接する当接部１０３ａが形成されており、下部パネル支持体３とともにガラスパネル４を前後から挟持するようにして支持し、ガラスパネル４の支持剛性を高めている。また、装飾板１０３は、後面側の一部が下部縁材７に設けられる支持片７ｂに対して前方から当接しており、下部パネル支持体３とともにガラスパネル４を前後から挟持するようにして支持し、ガラスパネル４の支持剛性を高めている。さらに、当接部１０３ａは、下部縁材７の支持片７ｂの上方に所定距離離れた位置に配置されており、ガラスパネル４が浮き上がった際に当接部１０３ａが下部縁材７の支持片７ｂと接触することで、ガラスパネル４の浮き上がりを抑制できるようになっている。
【００６６】
また、係止片１０４の下面側には、下方水平板３２０ｈの前端３２０ｓと当接する当接片１０６（下向き突片）が形成されており、ガラスパネル４に対して後方側から水平方向に応力が働いた場合に、当接片１０６が下方水平板３２０ｈの前端３２０ｓによって押さえられることにより、前面カバー部材１０ｂが動いて外れないようになっている。
【００６７】
また、係止片１０４の下面側には、装飾板１０３の下端に当たり、当接片１０６と並行して形成される把持片１０７（並行突片）が形成されており、前面カバー部材１０ｂを取外す際に、把持片１０７に指や工具を掛けて前方に引き出しやすくなっている。
【００６８】
以上説明したように、本実施例における間仕切パネル装置１は、下部パネル支持体３に取付けられる前面カバー部材１０ｂを備え、前面カバー部材１０ｂは、下部パネル支持体３の少なくとも一部とガラスパネル４の下端部を被覆する装飾板１０３と、装飾板１０３に突設され上方に向けて延びる係止片１０４と、係止片１０４よりも下方において突設され下方に向けて延びる当接片１０６と、を備え、下部パネル支持体３は、下方に向けて突出する係止部１００ｂを有する上方水平板３２０ｇと、上方水平板３２０ｇよりも下方に設けられた下方水平板３２０ｈと、上方水平板３２０ｇと下方水平板３２０ｈとにより上下が区画される係合部１００と、を備え、係止片１０４は、係合部１００に挿入され、係止片１０４の先端（係止爪１０４ａ）が上方水平板３２０ｇの係止部１００ｂに係止された状態において、係止片１０４よりも下方で当接片１０６が下部パネル支持体３の側部（下方水平板３２０ｈの前端３２０ｓ）と当接されているので、取付けられたガラスパネル４が外れる方向に動いた場合には、ガラスパネル４の下端部に当接する前面カバー部材１０ｂの装飾板１０３（当接部１０３ａ）に対してガラスパネル４の後方側から水平方向に応力が働き、下方水平板３２０ｈの前端３２０ｓに当接する当接片１０６を支点として係止爪１０４ａが回動するため、支点と係止爪１０４ａとの距離が短く、回動範囲が小さくなり、かつ係止爪１０４ａの鉤状部が下方に向けて延びるように形成された係止部１００ｂに押し付けられて鉤状部による係合を強める方向に作用するので、係止部１００ｂから係止爪１０４ａが外れ難くなり、前面カバー部材１０ｂが取付けられた状態を保持できるとともに、前面カバー部材１０ｂを取外す場合には、前面カバー部材１０ｂの下端部を引き出すことにより、前面カバー部材１０ｂの下端部に対してガラスパネル４の後方側から水平方向に応力が働き、ガラスパネル４の下端部に当接する当接部１０３ａを支点として係止爪１０４ａが回動するため、支点と係止爪１０４ａとの距離が長く、回動範囲が大きくなり、かつ係止爪１０４ａの鉤状部を下方に向けて延びるように形成された係止部１００ｂから離れる方向の力が作用するので、係止部１００ｂから係止爪１０４ａが外れやすくなり、ガラスパネル４を傷付けることなく前面カバー部材１０ｂを容易に取外すことができる。
【００６９】
また、係止片１０４及び当接片１０５は、上方水平板３２０ｇ及び下方水平板３２０ｈにより上下方向から挟持されており、係止片１０４及び当接片１０５が上方水平板３２０ｇ及び下方水平板３２０ｈにより上下方向から挟持された状態で係止部１００ｂに係止爪１０４ａが係止されるので、係止片１０４及び当接片１０５（特に係止片１０４）の動きが制限され、係止部１００ｂから係止爪１０４ａを外れ難くすることができる。
【００７０】
また、前面カバー部材１０ｂは、係止片１０４と、当接片１０５と、を備え、当接片１０５は、上方水平板３２０ｇに下方から圧着され、係止片１０４は、当接片１０５より長寸であり、係止片１０４の基部が下方水平板３２０ｈに上方から当接し、且つ係止片１０４の先端に形成される係止爪１０４ａが係止部１００ｂに係止されるため、当接片１０５が上方水平板３２０ｇに下方から圧着されることで生じる反力により対向する係止片１０４の基部を下方水平板３２０ｈに上方から圧着させた状態で係止部１００ｂに係止爪１０４ａを係止させることができるので、係止片１０４が動き難くなり、係止部１００ｂから係止爪１０４ａを外れ難くすることができる。
【００７１】
また、取付けられたガラスパネル４が外れる方向に動いた場合には、当接片１０５が上方水平板３２０ｇに下方から近接する方向に動くため、当接片１０５が上方水平板３２０ｇに下方から圧着されることで生じる反力により対向する係止片１０４の基部が下方水平板３２０ｈに圧着された状態を維持することができるので、係止片１０４が動き難くなり、係止部１００ｂから係止爪１０４ａを外れ難くすることができる。
【００７２】
また、前面カバー部材１０ｂの下端部を持って前面カバー部材１０ｂを取外す場合には、当接片１０５が上方水平板３２０ｇから離間する方向に動くので、対向する係止片１０４の基部を下方水平板３２０ｈに圧着させていた反力がなくなり、係止片１０４が動きやすくなり、係止部１００ｂから係止爪１０４ａを外れやすくすることができる。
【００７３】
また、係止片１０４は、当接片１０６と所定間隔離れて並行して突設される把持片１０７を備えており、下方水平板３２０ｈの前端３２０ｓと当接する当接片１０６と所定間隔離れて並行して把持片１０７が突設されているので、把持片１０７に指や工具を掛けて前面カバー部材１０ｂを引き出しやすくなり、前面カバー部材１０ｂの取外しを容易に行うことができる。
【００７４】
また、上部パネル支持体２及び下部パネル支持体３の外面の明度は、上部縁材６及び下部縁材７や各種カバー部材（上面カバー部材１０ａ、前面カバー部材１０ｂ、下面カバー部材１０ｃ、側面カバー部材１０ｄ）の明度に比べて低くなっているため、ガラスパネル４が取付けられた状態において、上部パネル支持体２及び下部パネル支持体３のガラスパネル４を通して見える部分の明度が低くなり、上部パネル支持体２及び下部パネル支持体３の構造の視認性を低下させることができ、美観が高められている。尚、図４及び図５に示されるように、ガラスパネル４を通して見える上部支持部材２２の太線αで示される領域と下部支持部材３２の太線βで示される領域のみ明度を低くしてもよい。
【００７５】
次いで、前面カバー部材１０ｂの変形例について図８（ａ），（ｂ）を参照して説明する。前面カバー部材１０ｂの変形例においては、係止片１０４及び当接片１０５の形状が変更されているが、係合部１００を構成する上方水平板３２０ｇの下面側に形成される係止部１００ｂに係止される係止爪１０４ａと、係合部１００を構成する下方水平板３２０ｈと当接する係止片１０４の基部に相当する構成が少なくとも含まれたものになっている。
【００７６】
図８（ａ）に示されるように、前面カバー部材１１０ａは、係止部１００ｂに係止される係止爪１０４ａ’が先端に形成され、係合部１００を構成する下方水平板３２０ｈとの当接部分を有する係止片１０４’を備えている。尚、当接片１０５に相当する構成は含まれていない。
【００７７】
図８（ｂ）に示されるように、前面カバー部材１１０ｂは、係止部１００ｂに係止される係止爪１０４ａ’が先端に形成され、係合部１００を構成する上方水平板３２０ｇ及び下方水平板３２０ｈとの当接部分を有する側面視略Ｓ字状の係止片１０４’を備えている。尚、係止片１０４’が上方水平板３２０ｇと当接部分を有する構成が当接片１０５に相当している。
【００７８】
【００７９】
【００８０】
前面カバー部材１０ｂの変形例である前面カバー部材１１０ａ，１１０ｂは、前述した前面カバー部材１０ｂと同じく、取付けられたガラスパネル４が外れる方向に動いた場合には、係止部１００ｂ及び係止部１００ｂ’から係止爪１０４ａ’が外れ難くなり、前面カバー部材１１０ａ，１１０ｂが下部パネル支持体３に取付けられた状態を保持できるとともに、前面カバー部材１０ｂの下端部を引き出して前面カバー部材１０ｂを取外す場合には、係止部１００ｂ及び係止部１００ｂ’から係止爪１０４ａ’が外れやすくなり、ガラスパネル４を傷付けることなく前面カバー部材１１０ａ，１１０ｂを容易に取外すことができるものである。
【００８１】
尚、本実施例において、下部パネル支持体３に取付けられる前面カバー部材１０ｂについて詳述したが、ガラスパネル４の前方側から上部パネル支持体２及び側部パネル支持体４０に取付けられる前面カバー部材１０ｂ，１０ｂ，…は、同一構成であり、取付け方向を変えることにより上部パネル支持体２、下部パネル支持体３、側部パネル支持体４０に取付けて使用することができるので、カバー部材の製造コストを低く抑えることができる。また、上面カバー部材１０ａ、下面カバー部材１０ｃ、側面カバー部材１０ｄについても同一構成であり、取付け方向を変えることにより上部パネル支持体２、下部パネル支持体３、側部パネル支持体４０に取付けて使用することができるので、カバー部材の製造コストを低く抑えることができる。
【００８２】
尚、本実施例における前面カバー部材１０ｂの当接片１０６と把持片１０７は、所定間隔離れて並行して突設された態様として説明したが、本発明はこれに限定されるものではなく、例えば、当接片１０６と把持片１０７は、一体としてもよいし、これをさらに下方に向けて延ばすことにより前面カバー部材１０ｂの下端を把持しやすくするとともに、装飾板１０３による被覆範囲を大きくして美観を向上させるようにしてもよい。
【００８３】
また、本実施例における前面カバー部材１０ｂの装飾板１０３の上端に、後方に向けて延びてガラスパネル４に当接する当接部１０３ａが設けられた態様として説明したが、本発明はこれに限定されるものではなく、当接部１０３ａは設けられていなくてもよい。さらに、本実施例における前面カバー部材１０ｂの装飾板１０３の後面側の一部が下部縁材７に設けられる支持片７ｂに対して前方から当接しているが、本発明はこれに限定されるものではなく、下部縁材７に支持片７ｂが設けられていなくてもよく、装飾板１０３の後面側が下部縁材７及びパネル本体４ｂに対して前方から当接していてもよい。
【００８４】
また、本実施例における上部縁材６は、基部材６０と挿入部材６１がボルト８とナット９により締結された態様として説明したが、本発明はこれに限定されるものではなく、例えば、側面視クランク形状をなし、挿入片６１ｂは、上方に向けて立ち上がった部分を切欠されることにより形成される等、自由に構成されてよい。
【００８５】
また、本実施例における下面カバー部材１０ｃは、装飾板１０１をパンチングパネルで構成してもよい。これによれば、間仕切パネル装置１内の埃や塵等がパンチングパネルの孔から下方に落ちて埃や塵等が装飾板１０１上に溜まり難くなり、美観を維持できるとともに、間仕切パネル装置１内における音の反響を抑え、遮音性を高めることができる。
【実施例２】
【００８６】
次に、実施例２に係る間仕切パネル装置につき、図９及び図１０を参照して説明する。実施例２では、片側のみガラスパネル４が取付けられた、いわゆる片面ガラスパネル構造について説明する。尚、前記実施例に示される構成部分と同一構成部分に付いては同一符号を付して重複する説明を省略する。
【００８７】
図９に示されるように、実施例２における間仕切パネル装置４００は、天井Ｒに固定される上部パネル支持体２と、床面Ｆに固定される下部パネル支持体３と、の間に１枚のガラスパネル４が取付けられた構造になっている。尚、ガラスパネル４は、間仕切パネル装置４００の前方側に取付けられているものとする。
【００８８】
上部パネル支持体２及び下部パネル支持体３の後方側には、それぞれ上面カバー部材４０１と下面カバー部材４０２が取付けられている。尚、上部パネル支持体２に取付けられる上面カバー部材４０１と、下部パネル支持体３に取付けられる下面カバー部材４０２は、同一構成であるため、下部パネル支持体３に取付けられる下面カバー部材４０２について説明し、上部パネル支持体２に取付けられる上面カバー部材４０１についての説明を省略する。
【００８９】
下面カバー部材４０２は、側面視略Ｌ字状の装飾板４０２ａと、下部支持部材３２に設けられた凹部３２０ｂに形成される係止部１００ｃに対して係止される係止片４０２ｂと、下部パネル支持体３に設けられた上方水平板３２０ｇと下方水平板３２０ｈの間に嵌合される長片の係止片４０２ｃと短片の当接片４０２ｄと、から構成されている。尚、上面カバー部材４０１及び下面カバー部材４０２は、アルミ合金製の押出成形品である。
【００９０】
下面カバー部材４０２は、下部パネル支持体３の所定位置に取付けられることにより、前記実施例における、前面カバー部材１０ｂ及び下面カバー部材１０ｃと同様の役割を果たし、内部構造やガラスパネル４の取付け構造が外部に露出しないように隠し、美観を向上させるとともに、上部パネル支持体２及び下部パネル支持体３に対して取付けられるガラスパネル４の支持剛性を高めることができる。
【００９１】
図１０に示されるように、側部パネル支持体４０の後方側には、側面カバー部材４０３が取付けられている。側面カバー部材４０３は、断面視略Ｌ字状の装飾板４０３ａと、側部支持部材４３に設けられた凹部４３０ａに形成される係止部４３０ｂに対して係止される係止片４０３ｂと、側部パネル支持体４０に設けられた第１並行板４３０ｃと第２並行板４３０ｄの間に嵌合される長片の係止片４０３ｃと短片の当接片４０３ｄと、から構成されている。尚、側面カバー部材４０３は、アルミ合金製の押出成形品である。
【００９２】
また、第１並行板４３０ｃの第２並行板４３０ｄとの対向面側には、係止部１００ｂが形成され、第１並行板４３０ｃと第２並行板４３０ｄの間に側面カバー部材４０３の係止片４０３ｃが係止されることにより側面カバー部材４０３が取付けられ、側部パネル支持体４０とガラスパネル４の取付け構造を隠せるようになっている。
【００９３】
側面カバー部材４０３は、側部パネル支持体４０に取付けられることにより、前記実施例における、前面カバー部材１０ｂ及び側面カバー部材１０ｄと同様の役割を果たし、内部構造やガラスパネル４の取付け構造が外部に露出しないように隠し、美観を向上させるとともに、側部パネル支持体４０に対して取付けられるガラスパネル４の支持剛性を高めることができる。
【００９４】
尚、上面カバー部材４０１、下面カバー部材４０２、側面カバー部材４０３は、同一構成であり、取付け方向を変えることにより上部パネル支持体２、下部パネル支持体３、側部パネル支持体４０に取付けて使用することができるので、カバー部材の製造コストを低く抑えることができる。
【００９５】
以上、本発明の実施例を図面により説明してきたが、具体的な構成はこれら実施例に限られるものではなく、本発明の要旨を逸脱しない範囲における変更や追加があっても本発明に含まれる。
【００９６】
例えば、前記実施例では、パネル本体４ｂとして金属製パネルや木製パネル等が使用されてもよい。
【符号の説明】
【００９７】
１                間仕切パネル装置
２                上部パネル支持体（上部パネル支持体）
３                下部パネル支持体（下部パネル支持体）
４                ガラスパネル（パネル体）
４ｂ              パネル本体
１０ｂ            前面カバー部材（カバー部材）
２０              笠木（上部パネル支持体）
２２              上部支持部材（上部パネル支持体）
２２ｃ            前方支持部
３０              巾木（下部パネル支持体）
３２              下部支持部材（下部パネル支持体）
３２ｃ            前方支持部
１００            係合部
１００ｂ          係止部
１０３            装飾板（板材）
１０３ａ          当接部
１０４            係止片（係合片，下部係合片）
１０４ａ          係止爪
１０５            当接片（係合片，上部係合片）
１０６            当接片（下向き突片）
１０７            把持片（並行突片）
１１０ａ〜ｄ      前面カバー部材（カバー部材）
３２０ｇ          上方水平板（上部壁）
３２０ｈ          下方水平板（下部壁）
３２０ｓ          前端（側部）
【図１】
2018066267.tif 000003
【図２】
2018066267.tif 000004
【図３】
2018066267.tif 000005
【図４】
2018066267.tif 000006
【図５】
2018066267.tif 000007
【図６】
2018066267.tif 000008
【図７】
2018066267.tif 000009
【図８】
2018066267.tif 000010
【図９】
2018066267.tif 000011
【図１０】
2018066267.tif 000012